(57)【特許請求の範囲】
【請求項１】
魚釣用リール本体に、このリール本体とは別体で一体的かつ相互回転不能に円筒部を取付け、この円筒部に、内周に凹凸部を設けた操作部材を螺合すると共に、前記凹凸部と係合する弾発発音部材を支持する支持体を、前記円筒部と前記リール本体間に一体的に回り止め固定し、前記弾発発音部材を前記支持体に回り止め係止したことを特徴とする魚釣用リール。
【発明の詳細な説明】
【０００１】
【発明の属する技術分野】
本発明は、魚釣用リールに関し、詳細には、回転部材の緩み止め、調整の度合いを明確にするクリック機構に特徴を有する魚釣用リールに関する。
【０００２】
【従来の技術】
従来より、両軸受型リールやスピニングリール等において、回転部材の緩み止めや、調整の度合いを明確にするために、クリック機構を設けて節度感を持たせる技術が、例えば、実開昭６３−５０５７４号や実開昭６２−８９９８１号に示されているように公知である。これらのクリック機構は、いずれも両軸受型リールのスプール軸の一端部に設けられたものであり、リール外側板から突出するように設けられるキャップを回転操作することで、節度感を持たせながら、スプール軸にスラスト方向の摩擦力を与えるように構成されたものである。
【０００３】
【発明が解決しようとする課題】
上記実開昭６３−５０５７４号に開示されている技術は、キャップを樹脂等の弾性変形可能な材料で構成すると共にリール本体にキャップと対向する円筒部を設け、キャップの内周面と円筒部の外周面に夫々係合する凹凸を形成してクリック機構を構成している。このように、クリック部分を弾性変形可能な材料で構成しているため、クリックの節度感に乏しく、耐久性に難があり、長期に亘ってリールを使用すると、クリック部分が摩耗したり、キャップ自体の弾性力が低下して回り止め効果が期待できなくなる等の問題がある。
【０００４】
また、上記実開昭６２−８９９８１号に開示されている技術は、リール本体に円筒部を設け、この円筒部に欠円環状バネの基端を係止する切欠部と、前記バネの先端屈曲突出部を貫通せしめる透孔を設け、前記円筒部と対向するキャップの内周面に、前記バネの先端屈曲突出部と係合する凹凸を設けてクリック機構を構成している。このように、リール本体に円筒部を形成し、しかもバネ支持用の切欠部と透孔を形成しなければならないため、リール本体の成形及び加工が複雑で困難になってしまう。また、前記バネ外周にバネ支持筒（円筒部）を配し、かつ前記バネ内周にキャップと一体的な軸受筒を設けなければならないため、前記円筒部及び前記キャップの径方向寸法が大きくなってしまい、リールのコンパクト化が達成できない等の問題がある。
【０００５】
この発明は、上述した問題点に基づいて成されたものであり、魚釣用リールにおける回転部材の緩みが確実に抑えられ、節度感のしっかりしたクリック機構を有するコンパクトな魚釣用リールを提供することを目的とする。
【０００６】
【課題を解決するための手段】
前記課題を解決するために、本発明の魚釣用リールは、魚釣用リール本体に、このリール本体とは別体で一体的かつ相互回転不能に円筒部を取付け、この円筒部に、内周に凹凸部を設けた操作部材を螺合すると共に、前記凹凸部と係合する弾発発音部材を支持する支持体を、前記円筒部と前記リール本体間に一体的に回り止め固定し、前記弾発発音部材を前記支持体に回り止め係止したことを特徴とする。
【０００７】
上記したように、弾発発音部材を回り止め係止する円筒部をリール本体とは別体で構成し、これを一体的かつ回転不能にリール本体に設けることで、リール本体の成形が簡素化される。また、弾発発音部材は、支持体を介して円筒部に回り止め係止されると共に、操作部材の内周に形成された凹凸部と係合されることで、操作部材の回転により節度感のしっかりしたクリック音が得られる。
【０００８】
【発明の実施の形態】
以下、本発明の実施の形態を添付図面に基づいて具体的に説明する。
【０００９】
図１は、魚釣用リールの内、両軸受型リールを示す平面図である。リール本体１は、左右フレームに取り付けられた左右外側板２ａ，２ｂと、これら側板間に回転可能に配され釣糸が巻回されるスプール５と、スプールに対し、釣糸を平行に巻回させるレベルワインド装置７とを備えている。これらスプール５およびレベルワインド装置７は、右側板２ｂに設けられたハンドル１０を回転操作することによって駆動される。具体的には、前記スプール５は、ハンドル軸１０ａに取り付けられたドライブギヤ１２、およびスプール５と一体回転するスプール軸５ａに取り付けられたピニオンギヤ１４を介して回転駆動され、前記レベルワインド装置７の釣糸案内部材７ａは、前記ドライブギヤ１２、および釣糸案内部材７ａが係合するウォームシャフト７ｂに取り付けられたギヤ１６を介して左右に往復動される。
【００１０】
なお、スプール軸５ａの左側板側には、スプールの過回転を防止し釣糸のバックラッシュ現象を抑制する遠心ブレーキ１７が配されており、また、左側板２ａには、スプールから繰り出される釣糸の糸長等を表示する表示器１９が設けられている。
【００１１】
前記スプール軸５ａの右側板側端部は、右側板２ｂの表面から突出しており、この部分に、スプール軸５ａにスラスト方向の摩擦力を付与するクリック機構２０が設けられている。以下、このクリック機構２０の構成を図２乃至図５を参照して具体的に説明する。なお、これらの図において、図２は、図１に示されているクリック機構の拡大図、図３は、クリック機構部分の軸方向に対して直交する方向での断面図、図４は、クリック機構を構成する各部材の分解斜視図、そして図５は、図４に示した各部材の軸方向に沿った断面図である。
【００１２】
リール本体を構成する右側板２ｂには、非円形状の孔２ｃが形成されており、この孔には、スプール軸５ａを回転可能に支持し、側板とは別体の円筒部２１が配される。円筒部２１には、軸方向に延出する嵌合部２１ａが形成されており、この嵌合部２１ａが前記非円形の孔２ｃにカシメや圧入等によって嵌合されることで、円筒部２１は右側板２ｂに相互回転不能に取付けられる。円筒部２１の嵌合部２１ａには、後述する支持体を、右側板２ｂとの間で挟持するようにフランジ２１ｂが形成されている。また、円筒部２１の嵌合部２１ａと反対側には、キャップ状の操作部材５０の内周面に形成された雌螺子部５０ａと螺合する雄螺子部２１ｄが形成されている。
【００１３】
前記スプール軸５ａは、円筒部２１に挿通され、かつ円筒部２１の先端側に配された軸受５５によって回転可能に支持されている。この場合、スプール軸５ａの端面は、操作部材５０の内底面に弾性材５１を介して取着されている摩擦材５２に当接している。これにより、嵌合状態にある円筒部２１に対して、操作部材５０を締め込んだり、緩めたりすることによって、スプール軸５ａの端面に作用する摩擦力を変更することができ、スプール軸５ａ（スプール５）に対して所望の制動力を付与することが可能となる。
【００１４】
前記操作部材５０の内周面には、３６０°に亘って凹凸部５０ｂが形成されている。また、前記円筒部２１のフランジ２１ｂと雄螺子部２１ｄとの間には、円周溝部２１ｅが形成され、ここに弾発発音部材３０が配置される。この弾発発音部材３０は、欠円環状の形状を有するバネで構成されており、切欠部において一対の脚部３０ａと、この脚部に対向する位置で外方に突出する先端屈曲突出部３０ｂとを備えている。この弾発発音部材３０は、円筒部２１に対して回り止め係止された状態で前記操作部材５０の凹凸部５０ｂと係合して、クリック音を発生するようになっている。
【００１５】
この実施の形態の弾発発音部材３０は、円周溝部２１ｅに配された状態で支持体４０によって支持されており、円筒部２１に対して回り止め保持されると共に軸方向に抜け止め規制された状態となっている。この支持体４０は、図４に示すように、円筒部２１に形成された嵌合部２１ａに対応する孔４０ａが形成された円形状の底面部４０ｂと、この底面部と垂直で軸方向に延出する円周壁部４０ｃによって構成されている。円周壁部４０ｃには、前記弾発発音部材３０の脚部３０ａが係止される切欠部４０ｄと、この切欠部４０ｄと対向し、弾発発音部材３０の屈曲部３０ｂを係止させて先端部を突出させる切欠部４０ｅが形成されている。すなわち、円筒部２１の円周溝部２１ｅに配された弾発発音部材３０は、底面部４０ｂがフランジ２１ｂに当て付いた状態の支持体４０によって、各脚部３０ａ、屈曲部３０ｂが夫々切欠部４０ｄ，４０ｅに係止されて、円筒部２１に回り止め保持されると共に、軸方向に抜け止め規制されている。そして、上記した構成により、操作部材５０を回転すると、回り止め規制された弾発発音部材３０の屈曲部３０ｂが、凹凸部５０ｂに弾性的に弾かれてクリック音を発生する。
【００１６】
以上のように、弾発発音部材３０を、弾性体であるバネとして一体的に円筒部２１に支持する構成であるため、操作部材５０を回転操作した際、しっかりとした節度感が得られ、耐久性が向上し、かつスプール軸の緩みを確実に抑えることのできるクリック機構が得られる。また、弾発発音部材３０を、リール本体とは別体である円筒部に回り止め固定したため、その円筒部は、リール本体とは別の成形加工が行い易い材料で形成することができ、かつ、リール本体（側板）に予め突出するような円筒部分を形成する必要がなくなるため、製造コストの低減が図れる。さらに、円筒部は、例えばプレス等の加工品とすると、その肉厚を薄く形成することが可能となり、クリック機構部分の径方向寸法を詰めることが可能となり、リール本体のコンパクト化を達成することが可能となる。
【００１７】
次に、本発明の第２の実施の形態を図６及び図７を参照して説明する。なお、以下に説明する実施の形態では、魚釣用リールの特徴部分のみを図示することとし、全体の構成については省略する。また、前記実施の形態と同一の部分については、同一の参照符号を付し、その説明を省略する。
【００１８】
この実施の形態は、クリック機構２０の弾発発音部材の構成を変形したものである。弾発発音部材３２は、図示していない操作部材の凹凸部と係合する係合部３２ａと、この係合部３２ａと直交するように形成された当付け部３２ｂとを有しており、円筒部２１の円周溝部２１ｅの頂部に形成された凹部２１ｆに、バネ３２ｃを介して配されるようになっている。すなわち、当付け部３２ｂは、支持体４０の円周壁部４０ｃの頂部に形成されている軸方向に延出する切欠部４０ｇを有する凹部４０ｈに対して、バネ３２ｃによって当付けられており、この状態で係合部３２ａは支持体４０の円周壁部４０ｃの表面から突出している。
【００１９】
そして、円周壁部４０ｃから突出した係合部３２ａは、バネ３２ｃの付勢力によって、図示していない操作部材が回転操作されると、凹凸部に係合しながら上下方向に往復動し、クリック音を発生する。このように、発音体とバネ部材を独立して弾発発音部材を構成することも可能であり、このような構成においても、前記実施の形態と同様な効果が得られる。
【００２０】
図８及び図９は、本発明の第３の実施の形態を示す図である。
【００２１】
この実施の形態では、弾発発音部材３５は、上記第１の実施の形態と同様に、略半円形状を有するバネ部材で構成されており、その両端部において中心側に屈曲する屈曲部３５ａが、その頂部において外方に突出する先端屈曲突出部３５ｂが夫々形成されている。一方、円筒部２１の円周溝部２１ｅには、略直径方向において、前記各屈曲部３５ａが係止できるように、係合溝２１ｈが形成されている。すなわち、この実施の形態では、弾発発音部材３５は、支持体を用いることなく、円筒部２１に回り止め係止されると共に、軸方向に抜け止め規制するように構成されている。
【００２２】
このような構成によれば、前記実施の形態と同様な効果が得られると共に、クリック機構における部品点数が減ってコストの低減が図れ、かつその組み付け作業が容易に行えるようになる。
【００２３】
以上、本発明の実施の形態を説明したが、本発明は上記実施の形態に限定されることはなく種々変形することが可能である。クリック機構は、リール本体に対して別体の円筒部を回転不能に設け、この円筒部に弾発発音部材を回り止め係止する構成であれば良く、弾発発音部材の構成や、円筒部に対する取り付け方法は上記した実施の形態に限定されることはない。また、上述したようなクリック機構は、両軸受型リール以外にも、スピニングリールのドラグ機構部分に適用することもでき、その対象となるリールや、適用する箇所についても限定されることはない。
【００２４】
【発明の効果】
以上、本発明によれば、魚釣用リールに設けられる回転部材の緩みが確実に抑えられ、節度感のしっかりしたクリック機構を有するコンパクトな魚釣用リールが提供される。
【図面の簡単な説明】
【図１】本発明に係る魚釣用リールの一実施の形態を示しており、両軸受型リールを示す平面図。
【図２】図１に示されているクリック機構の拡大図。
【図３】図２に示すクリック機構部分の軸方向に対して直交する方向での断面図。
【図４】図２に示すクリック機構を構成する各部材の分解斜視図。
【図５】図４に示した各部材の軸方向に沿った断面図。
【図６】本発明の第２の実施の形態を示す図であり、クリック機構部分の軸方向に対して直交する方向での断面図。
【図７】図６に示したクリック機構部分の分解斜視図。
【図８】本発明の第３の実施の形態を示す図であり、クリック機構部分の軸方向に対して直交する方向での断面図。
【図９】図８に示したクリック機構部分の分解斜視図。
【符号の説明】
１  リール本体
２ａ，２ｂ  側板
５  スプール
５ａ  スプール軸
２０  クリック機構
２１  円筒部
３０，３２，３５  弾発発音部材
４０  支持体
５０  操作部材
【図１】
0003562976.tif 000002
【図２】
0003562976.tif 000003
【図３】
0003562976.tif 000004
【図４】
0003562976.tif 000005
【図５】
0003562976.tif 000006
【図６】
0003562976.tif 000007
【図７】
0003562976.tif 000008
【図８】
0003562976.tif 000009
【図９】
0003562976.tif 000010